(57)【要約】【課題】  ２方式の映像信号を１つの出力手段から出力する。【解決手段】  セレクタ４７は、映像信号出力部４８に出力する映像信号を、D/A変換部４５からのアナログのRGB信号にするか、または、D/A変換部４６からのアナログのYPbPr信号に切り替える。映像信号出力部４８は、例えば、D-sub15pin（ミニ）コネクタで構成され、セレクタ４７から供給されるRGB信号またはYPbPr信号の映像信号を出力する。本発明は、例えば、２方式の映像信号を出力する映像信号出力装置に適用できる。【選択図】図２
2007074512.tif 000002
【特許請求の範囲】
【請求項１】
出力する映像信号を、第１の方式の第１の映像信号か、または、第２の方式の第２の映像信号に切り替える切り替え手段と、
前記切り替え手段から出力される前記第１の映像信号か、または、前記第２の映像信号を他の装置に出力する出力手段と
を備える信号出力装置。
【請求項２】
前記第１の映像信号の解像度を変更する第１の解像度変更手段と、
前記第２の映像信号の解像度を変更する第２の解像度変更手段と
の少なくとも一方をさらに備える
請求項１に記載の信号出力装置。
【請求項３】
前記第１の解像度変更手段は、表示される画像のサイズも変更する
請求項２に記載の信号出力装置。
【請求項４】
前記第２の解像度変更手段は、解像度をHD(High Definition)からSD(Standard Definition)に変更する
請求項２に記載の信号出力装置。
【請求項５】
映像信号を前記第２の方式から前記第１の方式に変換する変換手段をさらに備え、
前記第１の映像信号は、前記変換手段により前記第２の方式から前記第１の方式に変換された映像信号である
請求項１に記載の信号出力装置。
【請求項６】
前記第１の方式は、映像をRGB（Red,Green,Blue）によって表す方式であり、前記第２の方式は、映像をYPbPr（Y,Pb,Pc）によって表す方式である
請求項１に記載の信号出力装置。
【請求項７】
前記出力手段は、D-sub15pinコネクタである
請求項１に記載の信号出力装置。
【請求項８】
出力する映像信号を、第１の方式の第１の映像信号か、または、第２の方式の第２の映像信号に切り替える切り替え手段と、前記切り替え手段から出力される前記第１の映像信号か、または前記第２の映像信号を他の装置に出力する出力手段とを備える信号出力装置の信号出力方法において、
前記切り替え手段において、出力する映像信号を、前記第１の映像信号か、または、前記第２の映像信号を切り替え、
前記出力手段において、前記切り替え手段から出力される前記第１の映像信号か、または、前記第２の映像信号を前記他の装置に出力する
ステップを含む信号出力方法。
【発明の詳細な説明】
【技術分野】
【０００１】
本発明は、信号出力装置および信号出力方法に関し、特に、２方式の映像信号を１つの出力手段から出力することができる信号出力装置および信号出力方法に関する。
【背景技術】
【０００２】
映像信号には、映像をRGB（Red,Green,Blue）によって表す方式の信号（以下、RGB信号と称する）や、YPbPr（Y,Pb,Pc）によって表す方式の信号（以下、YPbPr信号と称する）がある。RGB信号は、例えば、PC（Personal Computer）用ディスプレイに供給するための映像信号として一般的に利用され、YPbPr信号は、例えば、テレビジョン受像機やプロジェクタなどに供給するための映像信号として利用されている。
【０００３】
図１はRGB信号とYPbPr信号の２方式の映像信号を出力する、従来の映像信号出力装置のブロック図を示している。
【０００４】
図１の映像信号出力装置１は、記憶部１１、読み出し装置１２、画像処理部１３および１４、D/A変換部１５および１６、RGB信号出力部１７、並びにYPbPr信号出力部１８により構成されている。
【０００５】
記憶部１１には、所定の画像が、MPEG (Moving Picture Experts Group）などの符号化方式でエンコードされ、ファイルとして記憶されている。即ち、記憶部１１は、所定の画像に対応するデータ（映像信号）を記憶（記録）する。なお、記憶部１１では、YPbPr信号のデータとして、画像が記憶されているものとする。記憶部１１は、例えば、青紫色レーザによる高密度記録が可能なプロフェッショナルディスク、Blu-ray Disk（商標）やDVD（Digital Versatile Disc ）などの光ディスク、フラッシュメモリなどの半導体メモリ、またはハードディスク、等の記録媒体で構成される。
【０００６】
読み出し装置１２は、例えば、光ディスクやハードディスクを駆動するドライブ装置で構成され、記憶部１１に記憶（記録）されている映像信号を読み出し、画像処理部１３または画像処理部１４に供給する。
【０００７】
画像処理部１３は、読み出し装置１２が供給する、エンコードされたYPbPr信号をデコードし、その結果得られるYPbPr信号をRGB信号に変換して、D/A変換部１５に供給する。画像処理部１４は、読み出し装置１２が供給する、エンコードされたYPbPr信号をデコードし、D/A変換部１６に供給する。
【０００８】
D/A（Digial to Analog）変換部１５は、画像処理部１３からのデジタルのRGB信号をアナログ信号に変換し、RGB信号出力部１７に供給する。D/A変換部１６は、画像処理部１４からのデジタルのYPbPr信号をアナログ信号に変換し、YPbPr信号出力部１８に供給する。
【０００９】
RGB信号出力部１７は、例えば、D-sub15pin（ミニ）コネクタで構成され、D/A変換部１５から供給されるRGB信号を、自身に接続されたアナログRGBケーブル（図示せず）を介して、PC（Personal Computer）用ディスプレイなどに出力する。
【００１０】
YPbPr信号出力部１８は、Y信号、Pb信号、Pr信号それぞれを出力する出力部１８a乃至１８ｃを有している。出力部１８a乃至１８ｃそれぞれは、例えば、BNCコネクタで構成される。YPbPr信号出力部１８は、D/A変換部１５から供給されるYPbPr信号を、出力部１８a乃至１８ｃそれぞれに接続されたBNCケーブル（図示せず）を介して、テレビジョン受像機などに出力する。
【００１１】
以上のように、従来の映像信号出力装置では、PC用ディスプレイ等にRGB信号を出力する出力部（コネクタ）と、テレビジョン受像機にYPrPb信号を出力する出力部が、別々に設けられている。
【００１２】
ところで、D-sub9pinコネクタを用いた場合における装置間での映像信号の接続を簡略化する技術が提案されている（例えば、特許文献１参照）。
【００１３】
【特許文献１】特開平０８−２０５０７２号公報
【発明の開示】
【発明が解決しようとする課題】
【００１４】
RGB信号とYPrPb信号を出力する映像信号出力装置においても、装置の小型化（省スペース化）などの理由により、１つの出力部（出力手段）から異なる方式の映像信号を出力することが要請されている。
【００１５】
本発明は、このような状況に鑑みてなされたものであり、２方式の映像信号を１つの出力手段から出力することができるようにするものである。
【課題を解決するための手段】
【００１６】
本発明の一側面の信号出力装置は、出力する映像信号を、第１の方式の第１の映像信号か、または、第２の方式の第２の映像信号に切り替える切り替え手段と、前記切り替え手段から出力される前記第１の映像信号か、または、前記第２の映像信号を他の装置に出力する出力手段とを備える。
【００１７】
前記第１の映像信号の解像度を変更する第１の解像度変更手段と、前記第２の映像信号の解像度を変更する第２の解像度変更手段との少なくとも一方をさらに設けることができる。
【００１８】
前記第１の解像度変更手段には、表示される画像のサイズも変更させることができる。
【００１９】
前記第２の解像度変更手段には、解像度をHD(High Definition)からSD(Standard Definition)に変更させることができる。
【００２０】
映像信号を前記第２の方式から前記第１の方式に変換する変換手段をさらに設け、前記第１の映像信号は、前記変換手段により前記第２の方式から前記第１の方式に変換された映像信号であるようにさせることができる。
【００２１】
前記第１の方式は、映像をRGB（Red,Green,Blue）によって表す方式であり、前記第２の方式は、映像をYPbPr（Y,Pb,Pc）によって表す方式であるようにさせることができる。
【００２２】
前記出力手段は、D-sub15pinコネクタであるようにさせることができる。
【００２３】
本発明の一側面の信号出力方法は、出力する映像信号を、第１の方式の第１の映像信号か、または、第２の方式の第２の映像信号に切り替える切り替え手段と、前記切り替え手段から出力される前記第１の映像信号か、または前記第２の映像信号を他の装置に出力する出力手段とを備える信号出力装置の信号出力方法において、前記切り替え手段において、出力する映像信号を、前記第１の映像信号か、または、前記第２の映像信号を切り替え、前記出力手段において、前記切り替え手段から出力される前記第１の映像信号か、または、前記第２の映像信号を前記他の装置に出力するステップを含む。
【００２４】
本発明の一側面においては、切り替え手段において、出力する映像信号が、前記第１の映像信号か、または、前記第２の映像信号に切り替えられ、出力手段において、前記切り替え手段から出力される前記第１の映像信号か、または、前記第２の映像信号が前記他の装置に出力される。
【発明の効果】
【００２５】
本発明の一側面によれば、２方式の映像信号を１つの出力手段から出力することができる。
【発明を実施するための最良の形態】
【００２６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の一側面の信号出力装置（例えば、図２の映像信号出力装置３１）は、第１に、
出力する映像信号を、第１の方式の第１の映像信号か、または、第２の方式の第２の映像信号に切り替える切り替え手段（例えば、図２のセレクタ４７）と、
前記切り替え手段から出力される前記第１の映像信号か、または、前記第２の映像信号を他の装置に出力する出力手段（例えば、図２の映像信号出力部４８）と
を備える。
【００２８】
本発明の一側面の信号出力装置は、第２に、
前記第１の映像信号の解像度を変更する第１の解像度変更手段（例えば、図２の解像度設定部６２）と、
前記第２の映像信号の解像度を変更する第２の解像度変更手段（例えば、図２の解像度変換部７１）と
の少なくとも一方をさらに備える。
【００２９】
本発明の一側面の信号出力装置は、第３に、
映像信号を前記第２の方式から前記第１の方式に変換する変換手段（例えば、図２のRGB変換部６１）をさらに備え、
前記第１の映像信号は、前記変換手段により前記第２の方式から前記第１の方式に変換された映像信号である。
【００３０】
本発明の一側面の信号出力方法は、
出力する映像信号を、第１の方式の第１の映像信号か、または、第２の方式の第２の映像信号に切り替える切り替え手段（例えば、図２のセレクタ４７）と、前記切り替え手段から出力される前記第１の映像信号か、または前記第２の映像信号を他の装置に出力する出力手段（例えば、図２の映像信号出力部４８）とを備える信号出力装置（例えば、図２の映像信号出力装置３１）の信号出力方法において、
前記切り替え手段において、出力する映像信号を、前記第１の映像信号か、または、前記第２の映像信号を切り替え（例えば、図４のステップＳ３）、
前記出力手段において、前記切り替え手段から出力される前記第１の映像信号か、または、前記第２の映像信号を前記他の装置に出力する（例えば、図４のステップＳ４）
ステップを含む。
【００３１】
以下、図を参照して、本発明の実施の形態について説明する。
【００３２】
図２は、本発明を適用した映像信号出力装置の一実施の形態の構成例を示している。
【００３３】
図２の映像信号出力装置３１は、記憶部４１、読み出し装置４２、画像処理部４３および４４、D/A変換部４５および４６、セレクタ４７、並びに映像信号出力部４８により構成されている。
【００３４】
記憶部４１には、所定の画像が、MPEG (Moving Picture Experts Group）などの符号化方式でエンコードされ、ファイルとして記憶されている。即ち、記憶部４１は、所定の画像に対応するデータ（映像信号）を記憶（記録）する。なお、記憶部４１では、YPbPr（Y,Pb,Pc）方式によって表す方式の映像信号（YPbPr信号）として、画像が記憶されているものとする。記憶部４１は、例えば、青紫色レーザによる高密度記録が可能なプロフェッショナルディスク、Blu-ray Disk（商標）やDVD（Digital Versatile Disc ）などの光ディスク、フラッシュメモリなどの半導体メモリ、またはハードディスク、等の記録媒体で構成される。
【００３５】
読み出し装置４２は、例えば、光ディスクやハードディスクを駆動するドライブ装置で構成され、記憶部４１に記憶（記録）されている映像信号を読み出し、画像処理部４３または画像処理部４４に供給する。
【００３６】
画像処理部４３は、RGB変換部６１および解像度設定部６２を有しており、読み出し装置４２が供給するYPbPr信号から、RGB（Red,Green,Blue）によって表す方式の信号（RGB信号）を生成して、D/A変換部４５に供給する。即ち、画像処理部４３は、読み出し装置４２から供給される映像信号（エンコードされたYPbPr信号）をデコードする。RGB変換部６１は、デコードして得られるYPbPr信号をRGB信号に変換して、D/A変換部４５に供給する。解像度設定部６２は、RGB変換部６１が出力するRGB信号に対応する画像の解像度を、例えば、1024×768画素（横×縦）のいわゆるXGAに設定する。また、解像度設定部６２は、所定の解像度における画像のサイズ（画枠サイズ）を、16:9や4:3などの所定のアスペクト比に設定（変更）することもできる。なお、解像度設定部６２は、XGAの他、SXGA(1280×1024)，SVGA（800×600）、またはVGA（640×480）などの解像度に設定（変更）することもできる。
【００３７】
画像処理部４４は、読み出し装置４２から供給される映像信号から、YPbPr信号を生成し、D/A変換部４６に供給する。即ち、画像処理部４４は、読み出し装置４２から供給される映像信号（エンコードされたYPbPr信号）をデコードし、その結果得られるYPbPr信号をD/A変換部４６に供給する。なお、デコードして得られるYPbPr信号は、HDの解像度の信号となっている。画像処理部４４は、HDの解像度のYPbPr信号を、4:3のアスペクト比を有するSD(Standard Definition)の解像度の信号に変換（変更）する解像度変換部７１を有している。デコードして得られたYPbPr信号が解像度変換部７１に供給された場合、YPbPr信号の解像度がHDからSDに変換され、その変換されたYPbPr信号がD/A変換部４６に供給される。従って、解像度変換部７１にYPbPr信号が供給されない場合には、D/A変換部４６には、16:9のアスペクト比を有するHD(High Definition)の解像度のYPbPr信号が供給される。
【００３８】
D/A（Digial to Analog）変換部４５は、画像処理部４３からのデジタルのRGB信号をアナログ信号に変換し、セレクタ４７に供給する。D/A変換部４６は、画像処理部４４からのデジタルのYPbPr信号をアナログ信号に変換し、セレクタ４７に供給する。
【００３９】
セレクタ４７は、図示せぬ制御部の制御にしたがい、映像信号出力部４８に出力する映像信号を、D/A変換部４５からのアナログのRGB信号（D/A変換部４５側）にするか、または、D/A変換部４６からのアナログのYPbPr信号（D/A変換部４６側）にするかを切り替える。セレクタ４７は、切り替えられた側のD/A変換部４５または４６から供給される、RGB信号またはYPbPr信号を映像信号出力部４８に供給する。
【００４０】
映像信号出力部４８は、例えば、D-sub15pin（ミニ）コネクタで構成され、セレクタ４７から供給されるRGB信号またはYPbPr信号の映像信号を出力する。
【００４１】
以上のように構成される映像信号出力装置３１では、映像信号出力部４８にPC（Personal Computer）用ディスプレイなどが接続されている場合には、D/A変換部４５から供給されるRGB信号が、映像信号出力部４８から出力される。一方、映像信号出力部４８にテレビジョン受像機やプロジェクタなどが接続されている場合には、D/A変換部４６から供給されるYPbPr信号が、映像信号出力部４８から出力される。
【００４２】
なお、映像信号出力装置３１の映像信号の出力先であるPC用ディスプレイや、テレビジョン受像機、プロジェクタなどが、映像入力端子としてR（Pr）信号、G（Y）信号、B(Pb)信号、H-SYNC信号、V-SYNC信号それぞれのBNCコネクタを備えている場合には、D-sub15pin（ミニ）コネクタを５つのBNCコネクタに変換する変換ケーブル（いわゆるD-sub15pin（ミニ）→５BNCケーブル）などが使用される。
【００４３】
図３は、映像信号出力部４８として設けられているD-sub15pin（ミニ）コネクタのピン配置と、そこに入力される映像信号（ピンアサイン）を示している。
【００４４】
D-sub15pin（ミニ）コネクタでは、１５本の信号を伝送（出力）するピンが５本ずつ３段に配置されている。その３段のうちの上段の列には、１番ピン（P1）乃至５番ピン（P5）が図面右側から順に配置され、中段の列には、６番ピン（P6）乃至１０番ピン（P10）が図面右側から順に配置され、下段の列には、１１番ピン（P11）乃至１５番ピン（P15）が図面右側から順に配置される。
【００４５】
映像信号出力部４８からRGB信号が出力される場合、セレクタ４７は、D/A変換部４５から供給されるR（Red）信号を１番ピン（P1）に出力し、G（Green）信号を２番ピン（P2）に出力し、B(Blue)信号を３番ピン（P3）に出力する。また、水平方向の同期信号H-SYNCをR,G,B信号とは別に出力する場合には、１３番ピン（P13）が使用され、垂直方向の同期信号V-SYNCをR,G,B信号とは別に出力する場合には、１４番ピン（P14）が使用される。なお、同期信号は、G信号などに重畳させて出力する（Sync On Green）ことも可能である。
【００４６】
一方、映像信号出力部４８からYPbPr信号が出力される場合、セレクタ４７は、D/A変換部４６から供給されるPr(色差)信号を１番ピン（P1）に出力し、Y（輝度）信号を２番ピン（P2）に出力し、Pb(色差)信号を３番ピン（P3）に出力する。
【００４７】
なお、水平方向の同期信号H-SYNCおよび垂直方向の同期信号V-SYNCをY,Pb,Pr信号とは別に出力する場合には、RGB信号における場合と同様に、１３番ピン（P13）および１４番ピン（P14）がそれぞれ使用される。なお、同期信号は、Y信号などに重畳させて出力する（Sync On Y）ことも可能である。また、D-sub15pin（ミニ）コネクタのその他の４番ピン（P4）乃至１２番ピン（P12）および１５番ピン（P15）についても、RGB信号とYPbPr信号とで互換性が保たれている。
【００４８】
次に、図４のフローチャートを参照して、映像信号出力装置３１がRGB信号を出力する場合の映像信号出力処理について説明する。
【００４９】
読み出し装置４２により、記憶部４１からエンコードされたYPbPr信号が読み出され、画像処理部４３に供給されると、ステップＳ１において、画像処理部４３は、エンコードされたYPbPr信号をデコードする。そして、RGB変換部６１は、デコードして得られたYPbPr信号をRGB信号に変換する。
【００５０】
ステップＳ２において、解像度設定部６２は、画像の解像度をXGAに設定するとともに、画枠サイズを4:3に設定する。
【００５１】
ステップＳ３において、セレクタ４７は、制御部の制御にしたがい、映像信号出力部４８に出力する映像信号を、D/A変換部４５からのRGB信号に切り替える。なお、セレクタ４７は、異なる制御信号を受け取るまでは同一の設定で動作するので、D/A変換部４５側に切り替える処理は、D/A変換部４５からRGB信号が供給される前に１度だけ行われる。また、ステップＳ３において、D/A変換部４５は、画像処理部４３からのデジタルのRGB信号をアナログ信号に変換（D/A変換）し、セレクタ４７に供給する。
【００５２】
ステップＳ４において、セレクタ４７は、D/A変換部４５からのアナログのRGB信号を映像信号出力部４８に供給する。また、ステップＳ４において、映像信号出力部４８は、セレクタ４７から供給されたアナログのRGB信号を、PC用ディスプレイなどの接続先の装置に出力して、処理を終了する。
【００５３】
次に、図５のフローチャートを参照して、映像信号出力装置３１がYPbPr信号を出力する場合の映像信号出力処理について説明する。なお、図５のフローチャートは、映像信号出力装置３１がSDの解像度のYPbPr信号を出力する場合の映像信号出力処理を示している。
【００５４】
読み出し装置４２により、記憶部４１からエンコードされたYPbPr信号が読み出され、画像処理部４４に供給されると、ステップＳ１１において、画像処理部４４は、供給されたYPbPr信号をデコードし、その結果得られたYPbPr信号を取得する。
【００５５】
ステップＳ１２において、解像度変換部７１が、デコードして得られたYPbPr信号の解像度をHDからSDに変換し、D/A変換部４６に供給する。
【００５６】
ステップＳ１３において、セレクタ４７は、制御部の制御にしたがい、映像信号出力部４８に出力する映像信号を、D/A変換部４６からのYPbPr信号に設定を切り替える。なお、セレクタ４７は、異なる制御信号を受け取るまでは同一の設定で動作するので、D/A変換部４６側に切り替える処理は、D/A変換部４６からYPbPr信号が供給される前に１度だけ行われる。また、ステップＳ１３において、D/A変換部４６は、画像処理部４４からのデジタルのYPbPr信号をアナログ信号に変換し、セレクタ４７に供給する。
【００５７】
ステップＳ１４において、セレクタ４７は、D/A変換部４６からのアナログのYPbPr信号を映像信号出力部４８に供給する。また、ステップＳ１４において、映像信号出力部４８は、セレクタ４７から供給されたアナログのYPbPr信号を、テレビジョン受像機などの接続先の装置に出力して、処理を終了する。
【００５８】
なお、映像信号出力装置３１がHDの解像度のYPbPr信号を出力する場合には、上述したステップＳ１２の処理が省略される。
【００５９】
以上のように図２の映像信号出力装置３１では、映像信号出力部４８として設けられている、１つのD-sub15pin（ミニ）コネクタ（出力端子）で、PC用ディスプレイなどのための映像信号であるRGB信号と、テレビジョン受像機などのための映像信号であるYPbPr信号の２方式の映像信号を出力することができる。
【００６０】
これにより、映像信号を出力する出力端子が１つで済むので、省スペース（装置の小型化）および部品点数削減による製造原価の低減を実現することができる。
【００６１】
また、映像信号出力装置３１は、映像信号出力部４８からYPbPr信号を出力する場合、HDの解像度で出力することもできるし、SDの解像度で出力することもできる。
【００６２】
上述した例では、映像信号出力装置３１は、記憶部４１に記憶されたデータに対応する映像信号（RGB信号またはYPbPr信号）を出力したが、チューナで受信して得られる映像信号や、映像信号出力装置３１が生成した映像信号を出力してもよい。換言すれば、映像信号出力装置３１は、記録媒体に記録されたデータに対応する映像信号を再生し、２方式の映像信号のいずれかで出力する再生装置であるとも言える。
【００６３】
なお、図２に示した映像信号出力装置３１は、それ単独で構成されるのは勿論、チューナや外部入力端子などで受信された映像信号を記録媒体に記録するとともに、その記録媒体から映像信号を読み出して出力する記録再生装置の一部として構成されるものでもよい。
【００６４】
また、記憶部４１は、所定の画像に対応するデータが、YPbPr信号で記憶されることとしたが、RGB信号で記憶されるようにしてもよい。この場合、画像処理部４４には、RGB信号をYPbPr信号に変換するYPbPr変換部が設けられる。
【００６５】
さらに、記憶部４１には、YPbPr信号で記憶されているデータと、RGB信号で記憶されているデータの両方が含まれるようにしてもよい。
【００６６】
本明細書において、フローチャートに記述されたステップは、記載された順序に沿って時系列的に行われる処理はもちろん、必ずしも時系列的に処理されなくとも、並列的あるいは個別に実行される処理をも含むものである。
【００６７】
また、本発明の実施の形態は、上述した実施の形態に限定されるものではなく、本発明の要旨を逸脱しない範囲において種々の変更が可能である。
【図面の簡単な説明】
【００６８】
【図１】従来の映像信号出力装置の一例を示すブロック図である。
【図２】本発明を適用した映像信号出力装置の一実施の形態の構成例を示すブロック図である。
【図３】映像信号出力部４８としてのD-sub15pin（ミニ）コネクタのピンアサインを説明する図である。
【図４】RGB信号を出力する場合の映像信号出力処理を説明するフローチャートである。
【図５】YPbPr信号を出力する場合の映像信号出力処理を説明するフローチャートである。
【符号の説明】
【００６９】
３１  映像信号出力装置，  ４３，４４  画像処理部，  ４７  セレクタ，  ４８  映像信号出力部，  ６１  RGB変換部，  ６２  解像度設定部，  ７１  解像度変換部
【図１】
2007074512.tif 000003
【図２】
2007074512.tif 000004
【図３】
2007074512.tif 000005
【図４】
2007074512.tif 000006
【図５】
2007074512.tif 000007